(57)【特許請求の範囲】
【請求項１】
隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から、確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、
円柱を縦方向に二分した略半円柱状の支持部材を備え、
前記支持部材は、裁断面上に識別情報入力部と、前記個人識別情報を表示する識別情報表示部とを設け、裁断面が前面側に位置する状態で水平方向へ回動可能に支持され、前記識別情報入力部および識別情報表示部を隣席の遊技者から死角となる角度に位置付け可能としたことを特徴とする個人識別情報入力装置。
【請求項２】
前記支持部材は、
前記裁断面の左右両側縁の上下方向全長に、前方へ向けて板状の遮蔽部材を突設することを特徴とする請求項１記載の個人識別情報入力装置。
【請求項３】
隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から前記確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、
隣席の遊技者から見た状態で死角を生成する死角生成部材と、
該死角生成部材により生成される死角内に秘匿領域を配置し、該秘匿領域に前記個人識別情報を表示する識別情報表示部、あるいは前記識別情報入力部の少なくとも一方を設けた第１識別情報入力表示部と、を備え、
前記秘匿領域は、前記個人識別情報入力装置の前面壁から後方へ一段低く後退した窪部の底面上に配設され、
前記死角生成部材は、前記窪部の左右一側に回動可能に軸支され、閉じられた状態にあっては窪部を前方から覆って秘匿領域を秘匿し、開かれた状態では秘匿領域を隣席の遊技者からの死角に位置づけることで秘匿する蓋部材により構成したことを特徴とする個人識別情報入力装置。
【請求項４】
前記蓋部材は、
窪部に臨んだ面に前記識別情報表示部を設けたことを特徴とする請求項３記載の個人識別情報入力装置。
【発明の詳細な説明】
【０００１】
【発明の属する技術分野】
本発明は、遊技により獲得した遊技価値を預け入れておき、この遊技価値を次回遊技時に払い出す遊技価値払出装置に用いられ、遊技者を確認するための個人識別情報を入力する個人識別情報入力装置に関する。
【０００２】
【従来の技術】
従来の個人識別情報入力装置を、代表的な遊技機であるパチンコ遊技機に遊技球を貸出す球貸装置（遊技価値払出装置）に設けられた暗証情報入力装置を例に挙げて説明する。
【０００３】
従来、遊技者に対するサービスを向上させることを目的として、遊技者が獲得した遊技球の数に関する情報を会員カード等に貯球情報（預け入れ遊技価値情報）として記憶し、この貯球情報に基づいて遊技を行わせる装置が開発されている。この装置では、遊技にて獲得した遊技球を球計数装置により計数し、この計数結果を貯球情報として会員カード自体或いは遊技店の管理装置等に記憶し、次回の遊技時に、記憶した貯球情報を使用して遊技球の貸出しを行う。
【０００４】
このとき、遊技球の貸出しを希望する遊技者が本人であるか否かを暗証コードを用いて確認している。具体的には、遊技者に暗証コードを入力させ、入力された暗証コードが会員カード（会員コード情報）に対応して記憶されている暗証コードと一致した場合に、遊技者本人であると確認して遊技球の貸出しを行っている。
【０００５】
【発明が解決しようとする課題】
ところで、パチンコ遊技店では、一般に、複数のパチンコ遊技機を近接させて横並びに配置しているため、隣席の遊技者と接近した状態となっている。また、暗証コードの入力装置は、例えば、隣り合うパチンコ遊技機の間に介在して遊技球を払い出す球貸し装置に一体的に備えられるといったようにパチンコ遊技機の近傍に設置されることが多い。或いは、暗証コードの入力装置は、パチンコ遊技機と一体的に備えることもある。従って、貯球情報に基づく遊技球の貸出しを受けようとして暗証コードの入力を行った場合には、暗証コードの入力操作の様子（即ち、キー操作）や暗証コード表示器に表示された暗証情報に基づき、隣席の遊技者等に暗証コードを知られてしまう可能性がある。そして、暗証コードを知られてしまった場合には、会員カードを置き忘れて遊技機から離れた際等に貯球情報が不正に使用されてしまう危険性があった。
【０００６】
本発明はこのような事情に鑑みてなされたものであり、近隣の遊技者等に暗証コードを知られ難くすることができる個人識別情報入力装置を提供することを目的としている。
【０００７】
【課題を解決するための手段】
本発明は、上記した目的を達成するために提案されたものであり、請求項１記載の発明は、隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から、確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、
円柱を縦方向に二分した略半円柱状の支持部材を備え、
前記支持部材は、裁断面上に識別情報入力部と、前記個人識別情報を表示する識別情報表示部とを設け、裁断面が前面側に位置する状態で水平方向へ回動可能に支持され、前記識別情報入力部および識別情報表示部を隣席の遊技者から死角となる角度に位置付け可能としたことを特徴とする個人識別情報入力装置である。
【０００８】
ここで、個人識別情報入力装置は、遊技価値払出装置に一体に設けても別設してもよい。また、第三者とは、当該遊技機で遊技している遊技者以外の者のことを云う。
【０００９】
請求項２記載の発明は、前記支持部材は、
前記裁断面の左右両側縁の上下方向全長に、前方へ向けて板状の遮蔽部材を突設することを特徴とする請求項１記載の個人識別情報入力装置である。
【００１０】
請求項３記載の発明は、隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から前記確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、
隣席の遊技者から見た状態で死角を生成する死角生成部材と、
該死角生成部材により生成される死角内に秘匿領域を配置し、該秘匿領域に前記個人識別情報を表示する識別情報表示部、あるいは前記識別情報入力部の少なくとも一方を設けた第１識別情報入力表示部と、を備え、
前記秘匿領域は、前記個人識別情報入力装置の前面壁から後方へ一段低く後退した窪部の底面上に配設され、
前記死角生成部材は、前記窪部の左右一側に回動可能に軸支され、閉じられた状態にあっては窪部を前方から覆って秘匿領域を秘匿し、開かれた状態では秘匿領域を隣席の遊技者からの死角に位置づけることで秘匿する蓋部材により構成したことを特徴とする個人識別情報入力装置である。
【００１１】
請求項４記載の発明は、前記蓋部材は、
窪部に臨んだ面に前記識別情報表示部を設けたことを特徴とする請求項３記載の個人識別情報入力装置である。
【００１２】
【発明の実施の形態】
以下、本発明の実施の形態を図面に基づいて説明する。なお、以下の説明においては、代表的な遊技機であるパチンコ遊技機用の遊技球貸出装置に設けられた装置を例に挙げることにする。図１から図７は、本発明の第１実施形態を説明する図で、図１はパチンコ遊技店内の遊技関連機器の概略を説明するブロック図、図２はパチンコ遊技店内に設置された島設備の外観図、図３はパチンコ遊技機及びこのパチンコ遊技機に並設された遊技球貸出装置の正面図、図４は遊技球貸出装置の電気的構成を説明するブロック図、図５から図７は暗証コード入力表示部の外観斜視図である。
【００１３】
図１に示すように、パチンコ遊技店の店内には、複数の島設備１が設けられている。そして、各島設備１は、遊技価値払出装置として機能する遊技球貸出装置（遊技玉貸出装置）２を併設したパチンコ遊技機３を横並びに配置している（図２参照）。また、各遊技球貸出装置２及びパチンコ遊技機３は、電気的配線４を介して中継装置５と電気的に連絡している。この中継装置５は、電気的配線４を介して球計数装置（玉計数装置）６や管理装置７等と電気的に連絡している。球計数装置６は、遊技者が獲得した遊技球を計数するためのもので、計数結果を会員カード９に関連付けて出力する。例えば、計数結果の情報を会員カード９の識別コードと関連付けてレシート１１に印字したり管理装置７に送信したりする。なお、本実施形態では、球計数装置６をパチンコ遊技機３毎に設けてある。また、上記した中継装置５と管理装置７との連絡などは、赤外線等による無線通信を用いてもよい。
【００１４】
管理装置７は、遊技店の管理室等に設置された管理用のコンピュータとして構成されており、大当たり回数等の遊技情報の取得や不正行為等の監視といった一般的な管理の他に、獲得した遊技球の情報を貯球情報（預け入れ遊技価値情報）として保持しておき、次回遊技時等に払い出すといった貯球情報の管理（貯球管理装置）や会員カード９の管理（会員管理装置）等も行う。そして、この管理装置７には、会員カード９を発行するカード発行装置１０が電気的に連絡している。このカード発行装置１０は、遊技球貸出装置２で使用する会員カード９を発行する。この会員カード９は、ＩＣカードや磁気カード等から構成され、カード発行装置１０は、会員カード９毎に付与された識別コードに加えて、所有者（即ち、遊技者本人）を確認するための暗証コード（個人識別情報）等を記憶して会員カード９を発行する。なお、カード発行装置１０で発行する会員カード９は、記憶する情報量が多いこと及びセキュリティ性等からＩＣカードとすることが好ましい。
【００１５】
次に、パチンコ遊技機３及び遊技球貸出装置２について説明する。図３に示すように、本実施形態においては、パチンコ遊技機３の左側部に遊技球貸出装置２が並設されている。そして、パチンコ遊技機３は、その前面に、額縁状の前面枠１２及びこの前面枠１２の内側に前面ガラス１３（透明部材の一種）を保持した透明部材保持枠１４がそれぞれ開閉可能に取付られており、透明部材保持枠１４の窓部を臨むように後方から遊技盤１５を取り付けている。透明部材保持枠１４の下方には、貸し球あるいは賞球としての遊技球を貯留する上皿１６が設けられ、この上皿１６の下方に、上皿１６の球抜き操作がなされたりオーバーフローした場合等に、上皿１６からの遊技球を受け入れる下皿１７が設けられている。この下皿１７の右側には遊技球を発射する際に操作する発射操作ハンドル１８が設けられている。
【００１６】
また、下皿１７の下方には、図２に示すように、島設備１の一部を構成している棚８が突出しており、この棚８上に、遊技球を貯留する球箱（玉箱）１９が配置され、この球箱１９の下方には返却樋２１が設けられている（図３参照）。返却樋２１は、球箱１９の底面に設けられたシャッタ機構２０の開放により球箱１９から放出された遊技球を島設備１内に設けられた球計数装置６に導く。
【００１７】
遊技球貸出装置２は、縦に細長い箱状体であり、その前面の高さ方向ほぼ中央には、貸し球としての遊技球を上皿１６に排出するためのノズル２２が設けられている。そして、このノズル２２の上方にはキーボード部２３、暗証コード表示部２４、及びスピーカ２５からなる暗証コード入力表示部２６（第１識別情報入力表示部）が配設されている。ここで、キーボード部２３は、暗証コードを入力するためのもので、例えば０〜９の数字キー（釦）やタッチパネル等により構成され、識別情報入力部として機能する。暗証コード表示部２４は、入力した暗証情報を表示するためのもので、例えば４桁の７セグメントＬＥＤや液晶表示パネル等により構成され、識別情報表示部として機能する。また、スピーカ２５は、キーボード部２３による入力操作の度に報知音を出力するもので、報知手段の一部として機能する。そして、上記したキーボード部２３及び暗証コード表示部２４が配設された領域（秘匿領域）の左右両側縁部には、死角生成部材としての遮蔽部材２７が出没可能に設けられている。なお、この遮蔽部材２７については、後に詳述する。
【００１８】
また、上記したスピーカ２５の上方には貨幣を投入する貨幣投入口２９が開設されており、ノズル２２の下方には貯球数を表示する貯球数表示部３０と会員カード９を挿入する会員カード挿入口３１とが設けられている。
【００１９】
次に、上記した遊技球貸出装置２の電気的構成について説明する。図４に示すように、この遊技球貸出装置２は、管理装置７（会員管理装置３３及び貯球管理装置３４）や球計数装置６と電気的に連絡している。そして、遊技球貸出装置２は、制御等を行うＣＰＵ３５、データの一時記憶等を行うＲＡＭ３６、制御プログラム等を格納しているＲＯＭ３７、動作クロックを発生するクロック生成回路３９、及び必要な電源を供給する電源回路４０を一体化したマイクロコンピュータユニット４１により構成されている。
【００２０】
そして、このマイクロコンピュータユニット４１は、リモコン受信装置４２、球排出装置（玉排出装置）４３、カードリーダライタ（カードＲ／Ｗ）４４、現金判別装置４５、及び現金返却装置４６と電気的に連絡し、また、報知ランプ４７、貯球数表示部（情報表示器）３０、暗証コード表示部（入力情報表示器）２４、及び音声発生装置４９に駆動信号を送出し、さらに、キーボード部（暗証Ｎｏ入力部）２３、クレジット引出スイッチ（クレジット引き出しＳＷ）５０、貯球引出スイッチ（貯玉引き出しＳＷ）５１、及び返却スイッチ（返却ＳＷ）５２からの信号を受信する。
【００２１】
上記した構成の中で、リモコン受信装置４２は、係員（店員等）が所持しているリモコンからの操作信号を受信するもので、この操作信号は、パチンコ遊技にて獲得した遊技球を精算する際等に送信される。球排出装置４３は、現金或いは貯球情報に基づき、遊技者からの要求に応じた数の貸し球（遊技球）を払い出す。カードリーダライタ４４は、上記した会員カード９の情報を読み書きする。現金判別装置４５及び現金返却装置４６は、投入された現金（貨幣）の受付可否判定を行うとともに、不適正と判定した現金を遊技者に返却する。
【００２２】
報知ランプ４７は、キーボード部２３によるキー入力操作に対応して発光するもので、報知手段の一部として機能する。音声発生装置４９は、キーボード部２３によるキー入力操作がなされた際にスピーカ２５に音信号を出力するもので、報知手段の一部として機能する。クレジット引出スイッチ５０は、球箱１９に入り切らなかった遊技球数の情報を一時記憶したクレジット情報に基づき、遊技球の払出しを受ける際に操作するスイッチである。貯球引出スイッチ５１は、貯球情報を使用して遊技球の貸出しを受ける際に操作するスイッチである。
【００２３】
次に、本発明の要部であり死角生成部材として機能する遮蔽部材２７について、図５から図７を参照して説明する。この遮蔽部材２７は、キーボード部２３及び暗証コード表示部２４が配設された秘匿領域の左右両側縁部にそれぞれ設けられており、略方形状の不透明な板部材（図６及び図７参照）によって構成されている。そして、通常は、図５に示すように、装置内に収容されており、暗証コードを入力する場合に、遊技者によって前方に引き出され、この引き出し（突出）状態で死角を生成する。具体的には、遊技者は、遮蔽部材２７が挿通する開口の内側縁のほぼ中央に設けられた窪部５３に指を入れ、遮蔽部材の内側面に形成された引掛窪部５４（図６参照）に爪や指先等を引っ掛けて遮蔽部材２７を引き出す。
【００２４】
図６（ａ）に示すように、左側の遮蔽部材２７Ａを引き出した場合には、引き出された左側遮蔽部材２７Ａの外側壁面５５が、キーボード部２３や暗証コード表示部２４が配設された秘匿領域を隠す。即ち、秘匿領域は、左側遮蔽部材２７Ａにより生成された死角内に位置するように配置されているので、左隣の遊技者（視線Ａ）からは殆ど見えない。従って、左側遮蔽部材２７Ａを引出した状態で暗証コードの入力を行うと、遊技者の暗証コードを第三者（特に、左隣の遊技者）に知られ難くすることができる。さらに、左側遮蔽部材２７Ａを出没可能、即ち、内部に収納可能とするとともに必要に応じて引き出し可能としたことにより、暗証コード入力時にのみ左側遮蔽部材２７Ａを引出し、遊技時には収納することができる。これにより、遊技時には左側遮蔽部材２７Ａが遊技者の視線を遮らないので、遊技者に開放感を与えることができる。
【００２５】
なお、この左側遮蔽部材２７Ａの後端（装置内側の端部）には、遊技球貸出装置２側に取り付けられたガイド部材５８の案内によって前後に移動する係合突起２７ａが設けてある。この係合突起２７ａは、図６（ｂ）に示すように、上方向（下側にあっては下方向、なお、図では、上側の係合突起２７ａのみ示す）に突出した三角形状の突起となっている。そして、湾曲可能な可動部５８ｄの自由端に下方に向けて突設された三角形状の可動突起５８ａによって仕切られた窪部５８ｂ或いは５８ｃ内に係合突起２７ａは位置している。より詳しくは、左側遮蔽部材２７Ａの収容状態では係合突起２７ａは前後ストロークが長い後方の窪部５８ｂ側に位置し、引き出し状態では係合突起２７ａは前後ストロークが極短い前方の窪部５８ｃ側に位置して左側遮蔽部材２７Ａをロックする。
【００２６】
なお、係合突起２７ａが後方の窪部５８ｂから前方の窪部５８ｃへ移動する際、或いは前方の窪部５８ｃから前方の窪部５８ｄへ移動する際には、係合突起２７ａと可動突起５８ａの傾斜面同士が摺接し、可動突起５８ａが係合突起２７ａの通路から退避し、係合突起２７ａの移動を可能にしている。このように、この係合突起２７ａは、左側遮蔽部材２７Ａが所定量引出された際に開口縁等に設けられたガイド部材５８等と係合して、左側遮蔽部材２７Ａをそれ以上引出せないようにするストッパ部材として機能している。
【００２７】
また、本実施形態においては、パチンコ遊技機３の左側に遊技球貸出装置２を配置したが、遊技球貸出装置２をパチンコ遊技機３の右側に配置する場合もある。そこで、本実施形態では、秘匿領域の左右に左側遮蔽部材２７Ａ、右側遮蔽部材２７Ｂを設けてある。
【００２８】
具体的に説明すると、図７に示すように、右側遮蔽部材２７Ｂは、遊技球貸出装置２の左側に配置されたパチンコ遊技機３の遊技者の使用を考慮して設けられたもので、前方への出現により右隣の遊技者（視線Ｂ）からの死角を作り出す。そして、キーボード部２３及び暗証コード表示部２４が配設された秘匿領域は、右側遮蔽部材２７Ｂにより生成された死角内に配置される。従って、遊技球貸出装置２がパチンコ遊技機３の右側に取付けられた場合であっても、遊技を行っている遊技者が右側遮蔽部材２７Ｂを引出すことにより、暗証コードの入力操作や入力した暗証コードを右隣の遊技者から見られ難くすることができる。この右側遮蔽部材２７Ｂの構造や作用等は、上記した左側遮蔽部材２７Ａと同じであるので、その説明は省略する。
【００２９】
なお、遊技球貸出装置２の配設位置が左右一方に定まっている場合には、左側遮蔽部材２７Ａか右側遮蔽部材２７Ｂの一方を設ければよい。また、左右の遮蔽部材２７Ａ、２７Ｂを設けた場合に、暗証コード入力操作時に両遮蔽部材２７Ａ、２７Ｂを引き出しておくと、左右の遊技者から一層見え難くなるので、一層確実に見られ難くすることができる。
【００３０】
次に、本発明の第２実施形態について説明する。この第２実施形態は、図８に示すように、キーボード部２３及び暗証コード表示部２４が箱状の入力表示部５６に配設されている点、キーボード部２３及び暗証コード表示部２４が配設された上面５７（秘匿領域）を第三者から遮蔽する遮蔽部材５９が固定の板状部材である点に特徴を有している。
【００３１】
即ち、遊技球貸出装置２の前面下部には、前方に突出した箱状の入力表示部５６が設けられており、この入力表示部５６の右側面には、タバコホルダ６０が突設されている。そして、キーボード部２３及び暗証コード表示部２４は、入力表示部５６の上面５７の秘匿領域に設けられている。また、この上面５７には、クレジット引出スイッチ５０や貯球引出スイッチ５１等も設けられている。そして、この上面の左右両側縁には、秘匿領域を挟む状態で左側遮蔽部材５９Ａと右側遮蔽部材５９Ｂとが立設してある。これらの左側遮蔽部材５９Ａ及び右側遮蔽部材５９Ｂは不透明な板部材により構成され、左右両側に位置した遊技者（第三者）からの死角を生成し、この死角内に入力表示部５６の上面５７の秘匿領域が配置される。従って、本実施形態においても、左右両隣りの遊技者からはキーボード部２３及び暗証コード表示部２４が死角内に入って暗証コードの入力操作及び入力された暗証コードを見ることが困難となる。さらに、本実施形態においては、左側遮蔽部材５９Ａ及び右側遮蔽部材５９Ｂの上部をそれぞれ外側に膨出させて拡幅してあるので、遊技者本人が暗証コードを入力する際にキーボード部２３や暗証コード表示部２４を見易くすることができ、又、入力表示部５６が遊技球貸出装置２の下部に設けられているので、遮蔽部材５９が遊技者本人の視線を遮らず開放感を与えることができる。
【００３２】
次に、本発明の第３実施形態について説明する。この第３実施形態は、図９に示すように、前面壁部６６に前面開口６７を開設し、この前面開口６７から後方に後退した部位に表示装置６２（表示機構）を配設している点に特徴を有している。
【００３３】
また、キーボード部２３と同機能のキー（情報入力要素）と、このキーを選択するためのカーソルとを表示装置６２で表示し、カーソルを移動させるための信号を発生させる十字キー（移動指示部）６３及びカーソルにて選択されたキーを選択するための選択釦（情報選択部）６４を備えた移動指示装置（指示選択機構）６５を前面開口６７の下方に設け、これらの表示装置６２と移動指示装置６５とから暗証情報入力表示部（第２識別情報入力表示部）を構成している。そして、十字キー６３の操作でカーソルを移動させ、選択釦６４の操作でキーを選択して暗証コードを入力するように構成した点にも特徴を有している。
【００３４】
即ち、遊技球貸出装置２の前面壁部６６のやや上方には前面開口６７が開設されており、この前面開口６７から後方に後退した部位であって前面開口６７から奥まった突き当り面には、液晶ディスプレイ等により構成された表示装置６２が配設されている。また、この前面開口６７の下方には、箱状の移動指示装置６５が前方に突設されている。そして、この移動指示装置６５の上面には、十字キー６３や選択釦６４等が配設されている。そして、表示装置６２には上記したキーボード部２３に相当する数字キーやこのキーを選択するためのカーソル等が表示されており、十字キー６３の操作に伴ってカーソルは表示画面上を移動する。そして、暗証コードを入力する際には、例えば「４」などの所望のキー上でカーソルを停止させた後に選択釦６４を操作する。
【００３５】
このような構成を有する本実施形態においては、前面開口６７から後方に後退した部位に表示装置６２が配設されているので、表示装置６２の表示画面は、死角生成部材として機能する前面開口６７の周りの前面壁部６６により、第三者の位置からの死角になって見え難くなる。即ち、専用の死角形成部材を別設することなく表示装置６２の表示画面を第三者から見え難くすることができる。なお、本実施形態においては、遊技者本人の位置からは前面壁部６６が表示画面を遮らず、遊技者から表示画面が視認可能になっている。
【００３６】
このように、本実施形態では、簡単な構成で暗証コードを知られ難くすることができる。また、カーソルの移動を十字キー６３や選択釦６４により行っているので、指の位置など入力操作に基づいて暗証コードを知られることがない。
【００３７】
なお、上記十字キー６３として例示した移動指示部は、カーソルを移動させるための信号を発生するものであればどのような構成のものでもよく、例えばジョイスティックでもよい。また、カーソルは、一般的な矢印形状の他に、キーの表示色を反転させるようなもの等、キーを選択可能なものであればどのような構成でもよい。
【００３８】
次に、本発明の第４実施形態について説明する。この第４実施形態は、図１０に示すように、キーボード部２３及び暗証コード表示部２４が水平方向に回動可能な支持部材６９（識別情報入力表示部支持機構）に形成されている点に特徴を有している。
【００３９】
即ち、本実施形態では、円柱を縦方向に二分した略半円柱状の支持部材６９を用い、この支持部材６９の裁断面７０（秘匿領域）上にキーボード部２３及び暗証コード表示部２４を設けている。そして、遊技球貸出装置２の前面のやや上方に、裁断面７０が前面側に位置するように支持部材６９を取り付けている。本実施形態では、回動軸としてビス７１等を用いて支持部材６９を水平方向に回動可能に支持している。そして、裁断面７０の左右両側縁の上下方向全長には、板状の遮蔽部材７２（死角生成部材）を裁断面７０から前方に向けて突設している。この遮蔽部材７２は、キーボード部２３及び暗証コード表示部２４を左右両側から見え難くする。そして、遊技者は、キーボード部２３及び暗証コード表示部２４（裁断面７０）が自分の方に向くよう支持部材６９を回動させ、この状態で暗証コードの入力操作を行う。
【００４０】
このように、裁断面７０を遊技者側に回動させると、支持部材６９が左側の遊技者の位置から見て背或いは横腹を向けた状態になり、キーボード部２３及び暗証コード表示部２４が左隣りの遊技者からは死角になる。さらに、遮蔽部材７２が死角を拡張するので、キーボード部２３及び暗証コード表示部２４をより一層見え難くしている。これにより、暗証コードの入力し易さを損なうことなく、左隣の遊技者等（第三者）からは暗証コードの入力操作及び入力された暗証コードが見え難くなる。
【００４１】
さらに、本実施形態においては、キーボード部２３及び暗証コード表示部２４を傾動可能に支持し、キーボード部２３及び暗証コード表示部２４を遊技者等からの死角に配置可能としているので、遮蔽部材７２の高さを比較的低くしても秘匿領域を見られ難くすることができる。従って、突出部分を少なくすることができ、遊技者に開放感を与えることができる。なお、本実施形態では水平方向に回動可能とした例について説明したが、水平と垂直の２方向に回動させるように構成することもできる。この場合、互いに交差する２方向の軸にて支持部材６９を支持して上下左右方向に傾動可能とし、裁断面７０を上下左右任意の傾動角度に位置付け可能とすればよい。
【００４２】
次に、本発明の第５実施形態について説明する。この第５実施形態は、図１１に示すように、キーボード部２３及び暗証コード表示部２４が箱状の入力表示部７４に設けられている点、この入力表示部７４が発射操作ハンドル１８を支持する支持部として機能している点に特徴を有している。
【００４３】
具体的には、箱状の入力表示部７４の上面７５（秘匿領域）にはキーボード部２３及び暗証コード表示部２４が配設されており、この上面７５の右側縁には板状の遮蔽壁部７６（死角生成部材）が上方に向けて起立している。この遮蔽壁部７６は、右隣りの遊技者の位置から見た際の死角を形成する。即ち、発射操作ハンドル１８が遊技機の右側に位置しているので、入力表示部７４の上面７５は右隣りの遊技者からは見え易いが、本実施形態では、遮蔽壁部７６を上面７５（秘匿領域）の右側縁に配置することで、右隣りの遊技者からの死角内に上面７５を配置し、この上面７５を右隣りの遊技者から見え難くしている。
【００４４】
また、入力表示部７４の前面には発射操作ハンドル１８を取り付けるための開口７７が開設されている。一方、装飾材を兼ねるとともに下皿１７が突設された下部前面部材７９の右端には、入力表示部７４を取り付けるための方形状の開口８０が形成されている。そして、発射操作ハンドル１８を入力表示部７４の開口７７内に取り付け、発射操作ハンドル１８を入力表示部７４にて回動可能に支持するとともに、入力表示部７４の後端を下部前面部材７９に取り付ける。
【００４５】
このように本実施形態の構成では、遮蔽壁部７６により生成された死角により、キーボード部２３及び暗証コード表示部２４は、右隣の遊技者の位置からは見え難いばかりでなく、左隣の遊技者からは、遊技球貸出装置２や上皿１６或いは下皿１７等によってキーボード部２３及び暗証コード表示部２４（即ち、上面７５）は見え難くなる。
【００４６】
特に、上皿１６は、遊技球を貯留する左側部分の前方膨出量が遊技球の発射装置側に位置する右側部分の前方膨出量よりも大きくなっているので、膨出量が少ない右側部分の手前の空域から遊技者本人はキーボード部２３及び暗証コード表示部２４を視認でき、一方、左隣の遊技者の位置からは膨出量が大きい左側部分が死角を形成し、この死角内にキーボード部２３及び暗証コード表示部２４が位置しているので、左隣の遊技者はキーボード部２３及び暗証コード表示部２４を見ることが困難となる。
【００４７】
このように、本実施形態では、賞球或いは貸し球としての遊技球を貯留して遊技球発射装置に供給する上皿１６（遊技球貯留部）を死角生成部材とし、この上皿１６によって生成される死角内に、キーボード部２３及び暗証コード表示部２４（秘匿領域）を配置したので、既存の構成物であり尚且つ必須の構成物である上皿１６を死角生成部材として利用できる。これにより、専用の部材を用意する必要が無くなって構成を簡素にでき、装置のコストダウンが図れる。また、発射操作ハンドル１８とキーボード部２３とが極めて近いので、いずれを操作する場合でも、遊技者は手を僅かに移動するだけの小さな動作で済み、疲労し難い。
【００４８】
さらに、この構成では、図１２に示すように、入力表示部７４とほぼ同型状の発射操作ハンドル支持部８１を入力表示部７４に代えて設けることで、暗証コードの入力が不要なパチンコ遊技機３にも容易に対応することができる。
【００４９】
このように、本実施形態では、遊技球を弾発する際に操作する発射操作ハンドル１８を支持する発射操作ハンドル支持部８１（第１発射ハンドル支持部材）と、キーボード部２３及び暗証コード表示部２４を設けた入力表示部７４（第２発射ハンドル支持部材）の何れかを選択可能にするとともに、入力表示部７４及び発射操作ハンドル支持部８１を、パチンコ遊技機３に取り付けられる下部前面部材７９に着脱可能としている。これにより、暗証コードの入力を必要とするパチンコ遊技機３（預け入れ遊技価値情報を利用するパチンコ遊技機）と必要としないパチンコ遊技機３（預け入れ遊技価値情報を用いないパチンコ遊技機）の双方を製造する場合、入力表示部７４と発射操作ハンドル支持部８１とを適宜選択して取付けることで、入力表示部７４及び発射操作ハンドル支持部８１を除いた部分の構成を同一とすることができ、パチンコ遊技機３の製造効率の向上が図れ、コストダウンが図れる。
【００５０】
なお、本実施形態に関し、入力表示部７４及び発射操作ハンドル支持部８１を下部前面部材７９と一体的に設けても良い。これにより、発射操作ハンドル１８部分の剛性を高めることができる。この場合、キーボード部２３、暗証コード部２４及び遮蔽部材７６を一体化したユニットを入力表示部７４の上面に装着するように構成すれば、暗証コードの要否に拘わらずパチンコ遊技機３の構成を同一にすることができ、製造効率を向上させることが可能となり、コストダウンが図れる。さらに、暗証コードが不要なパチンコ遊技機３については、入力表示部７４の上面にタバコホルダやプリペイドカード等の置き場を設けることもできる。
【００５１】
次に、本発明の第６実施形態について説明する。この第６実施形態は、図１３に示すように、遊技球貸出装置２の前面壁６６に窪部８２を形成するとともに、この窪部８２を前方から閉塞し、水平方向への回動によって開閉可能とされた蓋部材８４を窪部８２に設けた点に特徴を有している。
【００５２】
具体的に説明すると、図１３（ａ）に示すように、遊技球貸出装置２の前面壁６６には、この前面壁６６から後方に一段低く後退した方形状の窪部８２を形成してある。そして、この窪部８２の底面８３上には、キーボード部２３、貯球引出スイッチ５１、返却スイッチ５２を配設している。また、この窪部８２には、この窪部８２を前方から覆う蓋部材８４を設けてある。この蓋部材８４は、不透明な板状部材により構成されている。そして、左側の上下端に上下方向に突設した回動軸８５により、左側を中心にして回動可能に軸支されている。また、この蓋部材８４の背面（即ち、窪部８２に臨んだ面）には、暗証コード表示部２４が配設されている。
【００５３】
そして、図１３（ｂ）に示すように、閉じられた状態にあっては、この蓋部材８４は前面壁６６と同一面（即ち、凹凸がない状態）を形成し、キーボード部２３や貯球引出スイッチ５１等を塵や埃等から保護する。また、図１３（ａ）に示すように、左側の回動軸８５を中心にして開かれた場合には、この蓋部材８４が死角形成部材として機能し、キーボード部２３や暗証コード表示部２４等を、左隣りの遊技者の位置からの死角に位置付ける。従って、暗証コード入力時において、この入力操作及び入力された暗証コードは、左隣りの遊技者からは見えない。
【００５４】
なお、遊技球貸出装置２をパチンコ遊技機３の右側に配置した構成の場合には、右側に設けた回動軸を中心にして蓋部材８４を開放することにより、右隣りの遊技者からの死角が生成され、暗証コード入力時において、この入力操作及び入力された暗証コードを右隣りの遊技者から見えないようにすることができる。そして、回動軸８５の装着孔や軸受は、左右いずれの仕様であっても選択して使用できるように、予め左右両側に設けておくことが望ましい。
【００５５】
以上説明した本実施形態によれば、遊技球貸出装置２の前面壁６６（前面壁部）に、この前面壁６６から後方に一段低く後退した窪部８２を形成するとともに、この窪部８２の底面８３（秘匿領域の一部）上にキーボード部２３等を配設している。そして、この窪部８２を前方から閉塞し、水平方向への回動によって開閉可能な蓋部材８４（蓋部材）を窪部８２に設けたので、入力操作時に蓋部材８４を開放することにより、この蓋部材８４が死角形成部材として機能し、入力操作及び入力された暗証コードを隣席の遊技者から見えなくする。そして、入力操作時以外にあっては、窪部８２を前方から閉塞し、塵や埃等がキーボード部２３等に付着することを防ぐことができる。
【００５６】
さらに、本実施形態においては、蓋部材８４の背面（秘匿領域の一部）に暗証コード表示部２４を配設しているので底面８３が狭くてもよい。これにより、限られた面積である遊技球貸出装置２の前面壁６６に、会員カード９の挿入口３１（図３参照）等の他の機構をより多く配設することができる。なお、例示した実施形態においては、底面８３上にキーボード部２３等を配設し、蓋部材８４の背面に暗証コード表示部２４を配置しているが、これに限定されない。例えば、暗証コード表示部２４を底面８３上に配設し、キーボード部２３等を蓋部材８４の背面に配設してもよい。
【００５７】
なお、上記した各実施形態においては、キーボード部２３及び暗証コード表示部２４の双方を備えたものを例示したが、これらのキーボード部２３及び暗証コード表示部２４は、何れか一方が設けられていればよい。また、キーボード部２３及び暗証コード表示部２４に代えてこれらの機能を一体化したタッチパネルを用いた装置にも本発明を適用することができる。
【００５８】
また、各実施形態においては、代表的な遊技機であるパチンコ遊技機３を例に挙げて説明したが、各遊技機にて使用される遊技媒体の量に関する情報（遊技価値）を貯めておき、貯めておいた情報に基づき遊技媒体を貸出すようにした遊技機であれば本発明を適用することができる。
【００５９】
また、上記した実施形態においては、獲得遊技球に関する情報を遊技価値とした例について説明したが、この遊技価値は、獲得した遊技媒体の量を規定できればよいので、例えば、獲得した遊技媒体の量に基づいて変換された金額情報やポイント情報としてもよい。
【００６０】
また、上記した実施形態においては、単独で遊技球の貸出しが可能な遊技球貸出装置２を例に挙げて説明したが、パチンコ遊技機３の遊技球排出機構を利用して遊技球の貸出しを行うように構成した装置にも同様に適用することができる。また、球計数装置６に関し、この球計数装置６がパチンコ遊技機３とは別個に設けられた場合にも適用することができる。さらに、各実施形態毎の組み合わせも可能である。例えば、第３実施形態で示した表示装置の取付機構を第１実施形態の遮蔽部材２７に代えて適用したり、第５実施形態で示した遮蔽壁部７６を出没可能に構成してもよい。
【００６１】
【発明の効果】
以上説明したように本発明によれば、次の効果を奏する。即ち、請求項１記載の発明によれば、隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から、確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、円柱を縦方向に二分した略半円柱状の支持部材を備え、前記支持部材は、裁断面上に識別情報入力部と、前記個人識別情報を表示する識別情報表示部とを設け、裁断面が前面側に位置する状態で水平方向へ回動可能に支持され、前記識別情報入力部および識別情報表示部を隣席の遊技者から死角となる角度に位置付け可能としたので、個人識別情報の入力し易さを損なうことなく隣席の遊技者に個人識別情報を知られ難くすることができる。
【００６２】
また、請求項２記載の発明によれば、前記支持部材は、前記裁断面の左右両側縁の上下方向全長に、前方へ向けて板状の遮蔽部材を突設するので、遮蔽部材が死角を拡張して、識別情報入力部および識別情報表示部をより一層見え難くすることができる。したがって、個人識別情報の入力し易さを損なうことなく、隣席の遊技者からは個人識別情報の入力操作及び入力された個人識別情報が見え難くすることができる。
【００６３】
請求項３記載の発明によれば、隣り合うパチンコ遊技機の間に介在し、識別情報入力部から入力された個人識別情報に基づいて遊技者を確認し、過去の遊技にて獲得した遊技価値を遊技者毎に記憶した預け入れ遊技価値情報から前記確認した遊技者に対応する預け入れ遊技価値情報を選択するとともに、遊技者の要求に応じて前記選択した預け入れ遊技価値情報から遊技価値を払い出す遊技価値払出装置に用いられる個人識別情報入力装置において、隣席の遊技者から見た状態で死角を生成する死角生成部材と、該死角生成部材により生成される死角内に秘匿領域を配置し、該秘匿領域に前記個人識別情報を表示する識別情報表示部、あるいは前記識別情報入力部の少なくとも一方を設けた第１識別情報入力表示部と、を備え、前記秘匿領域は、前記個人識別情報入力装置の前面壁から後方へ一段低く後退した窪部の底面上に配設され、前記死角生成部材は、前記窪部の左右一側に回動可能に軸支され、閉じられた状態にあっては窪部を前方から覆って秘匿領域を秘匿し、開かれた状態では秘匿領域を隣席の遊技者からの死角に位置づけることで秘匿する蓋部材により構成したので、入力操作時に蓋部材を開放すると、入力操作及び入力された個人識別情報を隣席の遊技者から見えなくすることができる。そして、入力操作時以外にあっては、窪部を前方から閉塞すると、塵や埃等が秘匿領域に付着することを防ぐことができる。
【００６４】
請求項４記載の発明によれば、前記蓋部材は、窪部に臨んだ面に前記識別情報表示部を設けたので、窪部の底面が狭くてもよい。これにより、限られた面積である個人識別情報入力装置の前面壁に他の機構をより多く配設することができる。
【図面の簡単な説明】
【図１】パチンコ遊技店内の遊技関連機器の概略を説明するブロック図である。
【図２】パチンコ遊技店内に設置された島設備の外観図である。
【図３】パチンコ遊技機及びこのパチンコ遊技機に並設された遊技球貸出装置の正面図である。
【図４】遊技球貸出装置の電気的構成を説明するブロック図である。
【図５】暗証コード入力表示部の外観斜視図で、遮蔽部材が装置内に収容された状態を示す図である。
【図６】（ａ）は暗証コード入力表示部の外観斜視図で、左側遮蔽部材を引き出した状態を示す図、（ｂ）は遮蔽部材に設けられた係合突起及びこの係合突起を案内するガイド部材を説明する部分拡大斜視図である。
【図７】暗証コード入力表示部の外観斜視図で、右側遮蔽部材を引き出した状態を示す図である。
【図８】第２実施形態の構成を説明する外観斜視図である。
【図９】第３実施形態の構成を説明する外観斜視図である。
【図１０】第４実施形態の構成を説明する図で、（ａ）は外観斜視図、（ｂ）は上方から見た説明図である。
【図１１】第５実施形態の構成を説明する外観斜視図である。
【図１２】第５実施形態を説明する外観斜視図で、暗証コードの入力が不要なパチンコ遊技機用の構成を説明する図である。
【図１３】第６実施形態を説明する図で、（ａ）は遊技球貸出装置に設けられた蓋部材の開放状態を説明する斜視図、（ｂ）は蓋部材が閉じられた状態を説明する斜視図である。
【符号の説明】
１  島設備
２  遊技球貸出装置
３  パチンコ遊技機
４  電気的配線
５  中継装置
６  球計数装置
７  管理装置
８  棚
９  会員カード
１０  カード発行装置
１１  レシート
１２  前面枠
１３  前面ガラス
１４  透明部材保持枠
１５  遊技盤
１６  上皿
１７  下皿
１８  発射操作ハンドル
１９  球箱
２０  シャッタ機構
２１  返却樋
２２  ノズル
２３  キーボード部
２４  暗証コード表示部
２５  スピーカ
２６  暗証コード入力表示部
２７  遮蔽部材
２９  貨幣投入口
３０  貯球数表示部
３１  会員カード挿入口
３３  会員管理装置
３４  貯球管理装置
３５  ＣＰＵ
３６  ＲＡＭ
３７  ＲＯＭ
３９  クロック生成回路
４０  電源回路
４１  マイクロコンピュータユニット
４２  リモコン受信装置
４３  球排出装置
４４  カードリーダライタ
４５  現金判別装置
４６  現金返却装置
４７  報知ランプ
４９  音声発生装置
５０  クレジット引出装置
５１  貯球引出スイッチ
５２  返却スイッチ
５３  窪部
５４  引掛窪部
５５  外側壁面
５６  入力表示部
５７  上面
５８  ガイド部材
５８ａ  可動突起
５８ｂ，５８ｃ  窪部
５８ｄ  可動部
５９  遮蔽部材
６０  タバコホルダ
６２  表示装置
６３  十字キー
６４  選択釦
６５  移動指示装置
６６  前面壁部
６７  前面開口
６９  支持部材
７０  裁断面
７１  ビス
７２  遮蔽部材
７４  入力表示部
７５  上面
７６  遮蔽壁部
７７  開口
７９  下部前面部材
８０  開口
８１  発射操作ハンドル支持部
８２  窪部
８３  底面
８４  蓋部材
８５  回動軸
【図１】
0003982864.tif 000002
【図２】
0003982864.tif 000003
【図３】
0003982864.tif 000004
【図４】
0003982864.tif 000005
【図５】
0003982864.tif 000006
【図６】
0003982864.tif 000007
【図７】
0003982864.tif 000008
【図８】
0003982864.tif 000009
【図９】
0003982864.tif 000010
【図１０】
0003982864.tif 000011
【図１１】
0003982864.tif 000012
【図１２】
0003982864.tif 000013
【図１３】
0003982864.tif 000014